(57)【要約】【課題】アンカーボルトの上部をテンプレートに形成した位置決め孔に挿通して締付けることにより位置決めを行うアンカーボルトの位置決めにおいて、簡便な作業により的確な位置決めが可能であるとともに、ナットの緩みを確実に防止し得るアンカーボルト位置決め用ナットの緩み防止用部材を提供する。【解決手段】アンカーボルト位置決め用ナットの緩み防止用部材８を合成樹脂やゴムなどの変形に対して適度な復元力を備えた素材から構成し、テンプレート５に形成されたアンカーボルトの位置決め孔に嵌装可能で、かつ中央部にアンカーボルト１の挿通孔を備えるとともに、前記挿通孔はアンカーボルト１のネジ溝の幅以上の長さに形成し、かつテンプレート５の両側からナット６，７により締付けた状態において、それらの両ナット６，７の締付け面が緩み防止用部材８の接合面にそれぞれ圧接するように構成する。【選択図】図９
2005325560.tif 000002
【特許請求の範囲】
【請求項１】
合成樹脂やゴムなどの変形に対して適度な復元力を備えた素材からなり、テンプレートに形成されたアンカーボルトの位置決め孔に嵌装可能で、かつ中央部に前記アンカーボルトの挿通孔を備えるとともに、前記挿通孔はアンカーボルトのネジ溝の幅以上の長さを有し、かつ前記テンプレートの両側からナットにより締付けた状態において、それらの両ナットの締付け面がそれぞれ圧接する接合面を備えたことを特徴とするアンカーボルト位置決め用ナットの緩み防止用部材。
【請求項２】
前記テンプレートに形成されたアンカーボルトの位置決め孔に嵌装した状態において、その位置決め孔の端部に掛止する掛止部を設けて、前記テンプレートに対する嵌装状態を保持し得るように構成したことを特徴とする請求項１に記載のアンカーボルト位置決め用ナットの緩み防止用部材。
【発明の詳細な説明】
【技術分野】
【０００１】
本発明は、アンカーボルトをテンプレートに形成した位置決め孔に挿通して両側からナットによって締付けることによりアンカーボルトを所定の位置に保持するアンカーボルトの位置決め固定技術に関する。
【背景技術】
【０００２】
柱や土台などを基礎コンクリートに固定するための各アンカーボルトを所定位置に据付けるため、それらのアンカーボルトの上部をテンプレートに形成した位置決め孔に挿通して両側からナットによって締付けることにより位置決めを行う手法は従来から広く知られている。ところで、そのアンカーボルトの据付け作業においては、アンカーボルトのネジ山にテンプレートの位置決め孔の内縁部が掛止してネジ溝に食込み、アンカーボルトの位置決め精度を低下させたり、アンカーボルトに対するテンプレートのスムーズなセット作業を阻害するといった問題があった。そこで、この問題を解決するため、アンカーボルトのネジ山の頂部間の間隔、すなわちネジ溝の幅より長い長さの軸孔を備えた位置決め部材を使用して、ネジ溝に対するテンプレートの位置決め孔の内縁部の食込みを回避することによって、アンカーボルトの位置決め精度の低下を防いだり、アンカーボルトに対するテンプレートのスムーズなセット作業を図る手法も開示されている（特許文献１）。しかしながら、この従来技術の場合には、テンプレートとナットとの間にバネ座金を介在させることによりナットの緩み防止手段としていたため、前記位置決め部材とバネ座金とを使用する分、作業が面倒になるだけでなく、バネ座金とテンプレートあるいはナットとの間の締付け面に砂などの異物が入り込んだ場合には、両者間の接触面積が減少して緩み防止機能も低下するという問題があった。その結果、コンクリートの打設時にアンカーボルトに作用する側圧によって位置ずれを生じやすいという難点を有していた。
【特許文献１】特開平１０−３７４６７号公報
【発明の開示】
【発明が解決しようとする課題】
【０００３】
本発明は、以上のような従来の技術的状況に鑑み、アンカーボルトの上部をテンプレートに形成した位置決め孔に挿通して両側からナットによって締付けることにより位置決めを行うアンカーボルトの位置決め固定作業において、簡便な作業により的確な位置決めが可能であるとともに、ナットの緩みを確実に防止し得る使い勝手のよいアンカーボルト位置決め用ナットの緩み防止用部材を提供することを目的とする。
【課題を解決するための手段】
【０００４】
本発明に係るアンカーボルト位置決め用ナットの緩み防止用部材は、前記課題を解決するため、合成樹脂やゴムなどの変形に対して適度な復元力を備えた素材から構成し、テンプレートに形成されたアンカーボルトの位置決め孔に嵌装可能で、かつ中央部に前記アンカーボルトの挿通孔を備えるとともに、前記挿通孔はアンカーボルトのネジ溝の幅以上の長さに形成し、かつ前記テンプレートの両側からナットにより締付けた状態において、それらの両ナットの締付け面が前記緩み防止用部材の接合面にそれぞれ圧接するように構成した。すなわち、本発明に係る緩み防止用部材では、前記挿通孔の長さをアンカーボルトのネジ溝の幅以上の長さに形成することにより、ネジ溝に対するテンプレートの位置決め孔の内縁部の食込みを回避して、アンカーボルトの位置決め精度の低下を防ぎ、アンカーボルトに対するテンプレートのスムーズなセット作業を図るとともに、テンプレートの両側からのナットの締付けによって、それらの両ナットを本緩み防止用部材を挟んで一体的に結合させることにより、相互に緩み防止作用を奏するように構成した点で特徴を有する。さらに、前記テンプレートに形成されたアンカーボルトの位置決め孔に嵌装した状態において、その位置決め孔の端部に掛止する掛止部を設けて、前記テンプレートに対する緩み防止部材の嵌装状態を保持し得るように構成することも可能である。
【発明の効果】
【０００５】
本発明によれば、次の効果を得ることができる。
（１）アンカーボルト位置決め用ナットの緩み防止用部材を合成樹脂やゴムなどの変形に対して適度な復元力を備えた素材から構成し、テンプレートの両側からナットにより締付けた状態において、それらの両ナットが前記緩み防止用部材を挟んで一体的に結合されるように構成したので、その緩み防止用部材をテンプレートの位置決め孔に嵌装して両側からナットにより締付けるという簡便な作業によって、アンカーボルトを所定位置に的確に固定できるとともに、ナットの緩みを確実に防止することができる。
（２）緩み防止用部材に形成した前記挿通孔の長さをアンカーボルトのネジ溝の幅以上の長さに形成したので、そのネジ溝に対する食込みが回避され、アンカーボルトの位置決め精度の低下を防ぐことができるとともに、アンカーボルトに対するテンプレートのスムーズなセット作業が可能である。
（３）緩み防止用部材に、テンプレートに形成されたアンカーボルトの位置決め孔の端部に掛止する掛止部を設けるようにすれば、テンプレートに対する緩み防止用部材の嵌装状態を的確に保持することが可能となり、作業性の向上に有効である。
【発明を実施するための最良の形態】
【０００６】
本発明に係るナットの緩み防止用部材は、アンカーボルトをテンプレートに形成した位置決め孔に挿通して両側からナットによって締付けることによりアンカーボルトを所定の位置に保持するアンカーボルトの位置決め固定技術として広く適用することができる。本緩み防止用部材は、エチレン−酢酸ビニル共重合樹脂、エチレン−エチルアクリレート共重合樹脂、軟質ポリ塩化ビニル、ポリエチレン等の合成樹脂やゴムなどの変形に対して適度な復元力を備えた素材から構成され、テンプレートの両側からナットにより締付けた状態において、それ自体の変形によって両ナットを一体的に結合させて緩み防止機能を奏するものであればよい。例えば、その緩み防止用部材のナットとの接合面は、ナットによる締付け前の状態において、双方の接合面ともテンプレートに形成された位置決め孔の外側に突出している必要は必ずしもなく、ナットによる締付けによって生じるそれ自体の変形により、双方の接合面が前記位置決め孔の外側に突出して両側のナットの締付け面に圧接するものであってもよい。なお、双方のナットの締付け面が緩み防止用部材の接合面にのみ圧接して、その緩み防止用部材を介してテンプレート側と結合される締付け形態も可能であるが、緩み防止用部材の接合面の外側の残余の部分において、ナットの締付け面とテンプレートとが直接圧接するように構成すれば、テンプレートとナット延いてはアンカーボルトとの間の結合状態が強化されて位置ずれ防止に有効である。
【０００７】
図１はアンカーボルトの据付け状態を例示した状態説明図である。図中、１は適宜数のアンカーボルトであり、それらのアンカーボルト１は図示のようにそれぞれ中間部を捨てコンクリート２上の所定位置に設置された支持手段３の支持部４により支持され、それらの上部をテンプレート５に形成された位置決め孔に挿通した上、両側からナット６，７を用いて締付け固定することによって位置決めされた状態に据付けられるように構成されている。
【実施例１】
【０００８】
図２〜図１０は本発明に関する第１実施例を示したものである。図２は第１実施例に係るナットの緩み防止用部材を示した縦断面図であり、図３はその平面図である。緩み防止用部材８は、前述のように合成樹脂やゴムなどの変形に対して適度な復元力を備えた素材から構成され、中央部にアンカーボルト１の挿通孔９を備え、上方の大径部１０と下方の小径部１１とから構成されるリング状に形成され、上下の平坦面をナット６，７の締付け面に圧接する接合面１２，１３としている。小径部１１はテンプレート５に形成されたアンカーボルト１の位置決め孔に嵌装可能な外径に形成され、本実施例ではその小径部１１の外周壁を下方に向って若干拡がったテーパ状に形成している。また、小径部１１の外周壁の下端部には、小径部１１をテンプレート５の位置決め孔に嵌入した場合に、その位置決め孔の下端部に掛止可能な掛止部１４を形成している。なお、アンカーボルト１の挿通孔９の長さＬは、アンカーボルト１のネジ溝の幅以上の長さに設定している。因みに、大径部１０の形状に関しては、円形に代えて四角形や六角形などの多角形を採用することも可能である。
【０００９】
次に、図４〜図９に基づいて前記緩み防止用部材８を用いたアンカーボルト１の位置決め固定作業に関して説明する。図４及び図５に示したように、本実施例では、先ずテンプレート５に形成されたアンカーボルト１の位置決め孔１５に対して緩み防止用部材８を嵌装する。この場合には、テンプレート５に形成された前記位置決め孔１５に対して緩み防止用部材８の小径部１１を押し当てて前記掛止部１４を変形させながら、図５に示したように位置決め孔１５に小径部１１を嵌入することにより、緩み防止用部材８の嵌装が行われる。因みに、位置決め孔１５に対する小径部１１の嵌入後には、その位置決め孔１５の下端部に掛止部１４が掛止し、緩み防止用部材８の脱落が防止される。
【００１０】
以上のようにして、テンプレート５に形成された各位置決め孔１５に対して予め工場等にて、あるいは現場にて緩み防止用部材８の嵌装が済んだら、図１に示したように支持手段３の支持部４によって支持された各アンカーボルト１に対して、図６のようにテンプレート５に嵌装された各緩み防止用部材８の挿通孔９を嵌合しながら、テンプレート５をアンカーボルト１のネジ部１６に予め螺入したナット６上にセットする。しかる後、図７及び図８に示したように、アンカーボルト１に対して緩み防止用部材８の上方からナット７を螺入し、図９のようにナット６，７を緩み防止用部材８の変形を伴いながら所定トルクで締付けることにより、アンカーボルト１の位置決め固定作業が終了することになる。
【００１１】
しかして、以上のアンカーボルト１の位置決め固定作業の結果、緩み防止用部材８は、図９に示したように圧縮変形した状態で固定されることになる。したがって、ナット６，７の締付け面は緩み防止用部材８の前記接合面１２，１３に圧接した状態に固定され、双方のナット６，７が前記緩み防止用部材８を介して互いに結合されることから、それらの緩みが確実に防止される。また、ナット６，７の締付けによって緩み防止用部材８は横方向にも膨出することから、図９に示したように前記挿通孔９の内壁面がアンカーボルト１の外周面に圧接するように構成することにより的確な位置決めが可能である。前述のように、緩み防止用部材８に形成したアンカーボルト１の挿通孔９の長さＬは、少なくとも圧縮変形前の状態において、図１０に示したアンカーボルト１のネジ部１６のネジ山間のネジ溝の幅Ｗ以上に設定し、ネジ溝部に対する食込みが回避されるように構成している。なお、以上では、緩み防止用部材８をテンプレート５の上方から嵌装した場合について説明したが、図１１に示したようにテンプレート５の下方から嵌装することも可能である。
【実施例２】
【００１２】
図１２は本発明の第２実施例に係るナットの緩み防止用部材を示した縦断面図である。本実施例は、前記第１実施例の変形例である。すなわち、本実施例に係る緩み防止用部材１７では、下面側の接合面１８がテンプレート５の下面と同一面か内側に引込んで、外部に突出しない場合を示した。本実施例のように、接合面１８がテンプレート５の位置決め孔１５の外部へ突出しない場合であっても、前記ナット６，７の締付けによる緩み防止用部材１７の変形により、前記接合面１８がナット６の締付け面に圧接して緩み防止作用を奏し得るものであればよい。
【実施例３】
【００１３】
図１３〜図１９は本発明に関する第３実施例を示したものである。図１３は第３実施例に係るナットの緩み防止用部材を構成する本体部を示した縦断面図であり、図１４はその平面図である。また、図１５は前記緩み防止用部材を構成する止めリング部を示した縦断面図であり、図１６はその平面図である。本実施例に係る緩み防止用部材１９は、合成樹脂やゴムなどの変形に対して適度な復元力を備えた素材から構成された、リング状の本体部２０とその本体部２０に嵌合可能な止めリング部２１との組合わせから構成される。図１３及び図１４に示したように、本体部２０は、中央部にアンカーボルト１の挿通孔２２を備え、上方の大径部２３と下方の小径部２４とから構成されるリング状に形成され、上下の平坦面をナット６，７の締付け面に圧接する接合面２５，２６としている。そして、小径部２４の外周部には止めリング部２１が外嵌し得るように構成され、その下端部には前記止めリング部２１に掛止する掛止部２７が形成されている。止めリング部２１は、図１５に示したように略矩形状の断面を有するリング状に形成されている。この止めリング部２１は弾性を有しており、前記本体部２０の小径部２４の外周部に嵌合し得るように構成され、その内側下部には前記掛止部２７が掛止する凹部２８が形成されている。因みに、本実施例においても、前記本体部２０の中央部に形成されるアンカーボルト１の挿通孔２２の長さＬはアンカーボルト１のネジ部１６のネジ溝の幅Ｗ以上に設定され、ネジ溝部に対する食込みが回避されるように構成している。
【００１４】
次に、図１７〜図１９に基づいて前記緩み防止用部材１９を用いたアンカーボルト１の位置決め固定作業に関して説明する。本実施例では、図１７に示したように、先ず前記テンプレート５に形成されたアンカーボルト１の位置決め孔１５に対して緩み防止用部材１９を構成する本体部２０を嵌装する。この場合には、テンプレート５に形成された前記位置決め孔１５に対して本体部２０の小径部２４を押し当てて掛止部２７を変形させながら小径部２４を位置決め孔１５に嵌入する点で、前記第１実施例の場合と同様の作業となる。しかる後、図１８に示したように、テンプレート５の下方に突出した本体部２０の小径部２４の外周部に対して止めリング部２１を外嵌して、掛止部２７を凹部２８に掛止することにより、緩み防止用部材１９の嵌装が完了する。
【００１５】
以上のようにして、テンプレート５の各位置決め孔１５に対して予め工場等にて、あるいは現場にて緩み防止用部材１９の嵌装が済んだら、図１に示したように支持手段３の支持部４によって支持された各アンカーボルト１に対して、図１９のようにテンプレート５に嵌装された各緩み防止用部材１９の挿通孔２２を嵌合しながら、テンプレート５をアンカーボルト１のネジ部１６に予め螺入したナット６上にセットする。しかる後、図１９に示したように、アンカーボルト１に対して緩み防止用部材１９の本体部２０の上方からナット７を螺入し、ナット６，７を前記緩み防止用部材１９の変形を伴いながら所定トルクで締付けることにより、本実施例におけるアンカーボルト１の位置決め固定作業が終了することになる。
【図面の簡単な説明】
【００１６】
【図１】アンカーボルトの据付け状態を例示した状態説明図である。
【図２】本発明の第１実施例に係る緩み防止用部材を示した縦断面図である。
【図３】同緩み防止部材を示した平面図である。
【図４】第１実施例の作業手順を示した作業説明図である。
【図５】同作業手順を示した作業説明図である。
【図６】同作業手順を示した作業説明図である。
【図７】同作業手順を示した作業説明図である。
【図８】図７の平面図である。
【図９】ナットの締付け作業を示した作業説明図である。
【図１０】アンカーボルトのネジ部を示した部分正面図である。
【図１１】第１実施例に係る緩み防止用部材の他の適用状態を示した縦断面図である。
【図１２】本発明の第２実施例に係る緩み防止用部材を示した縦断面図である。
【図１３】本発明の第３実施例に係る緩み防止用部材を構成する本体部を示した縦断面図である。
【図１４】同本体部を示した平面図である。
【図１５】前記第３実施例に係る緩み防止用部材を構成する止めリング部を示した縦断面図である。
【図１６】同止めリング部を示した平面図である。
【図１７】第３実施例の作業手順を示した作業説明図である。
【図１８】同作業手順を示した作業説明図である。
【図１９】同作業手順を示した作業説明図である。
【符号の説明】
【００１７】
１…アンカーボルト、２…捨てコンクリート、３…支持手段、４…支持部、５…テンプレート、６，７…ナット、８…緩み防止用部材、９…アンカーボルトの挿通孔、１０…大径部、１１…小径部、１２，１３…接合面、１４…掛止部、１５…位置決め孔、１６…ネジ部、１７…緩み防止用部材、１８…接合面、１９…緩み防止用部材、２０…本体部、２１…止めリング部、２２…アンカーボルトの挿通孔、２３…大径部、２４…小径部、２５，２６…接合面、２７…掛止部、２８…凹部
【図１】
2005325560.tif 000003
【図２】
2005325560.tif 000004
【図３】
2005325560.tif 000005
【図４】
2005325560.tif 000006
【図５】
2005325560.tif 000007
【図６】
2005325560.tif 000008
【図７】
2005325560.tif 000009
【図８】
2005325560.tif 000010
【図９】
2005325560.tif 000011
【図１０】
2005325560.tif 000012
【図１１】
2005325560.tif 000013
【図１２】
2005325560.tif 000014
【図１３】
2005325560.tif 000015
【図１４】
2005325560.tif 000016
【図１５】
2005325560.tif 000017
【図１６】
2005325560.tif 000018
【図１７】
2005325560.tif 000019
【図１８】
2005325560.tif 000020
【図１９】
2005325560.tif 000021